(57)【要約】【課題】組織サンプルを採取するために有用な医療装置および方法を提供する。【解決手段】本装置は、回転および平行移動するカッター、プローブ、および外部シースを備えることができる。プローブは、例えば極低温物質で冷やすことが可能である。シースは、回転するカッターの外部表面から周辺組織を保護することができる。【選択図】図１
2007222618.tif 000002
【特許請求の範囲】
【請求項１】
生検器具において、
ハンドピースと、
前記ハンドピースに対して平行移動するように支持された、外部カニューレカッターと、
前記外部カニューレカッターの内部の少なくとも一部に配置された、極低温プローブと、
前記外部カニューレカッターの少なくとも一部の周囲に配置された、カニューレシースと、
を備えた、生検器具。
【請求項２】
生検器具において、
極低温物質を受け入れるように構成された、プローブと、
前記プローブの少なくとも一部の周囲に配置された、中空カッターであって、前記カッターは、組織を切断するため、前記プローブに対して移動可能である、中空カッターと、
前記中空カッターと共に移動可能な、シースと、
を備えた、生検器具。
【請求項３】
請求項２に記載の生検器具において、
前記中空カッターは、前記プローブに対して平行移動および回転が可能である、生検器具。
【請求項４】
請求項２に記載の生検器具において、
前記シースは、前記プローブに対して平行移動が可能である、生検器具。
【請求項５】
請求項２に記載の生検器具において、
前記シースは、前記プローブ、前記カッター、および前記シースが組織内に配置されると、周辺組織に対して回転不可能である、生検器具。
【請求項６】
請求項２に記載の生検器具において、
前記シースおよび前記中空カッターは、前記プローブに対して共に平行移動するように構成されている、生検器具。
【発明の詳細な説明】
【発明の内容】
【０００１】
〔発明の分野〕
本発明は生検用装置に関し、特に、極低温物質を用いた生検用装置に関する。
【０００２】
〔発明の背景〕
細胞組織の診断および治療は現在発展中の研究分野である。後の標本化および／または検査のために組織サンプルを採取する医療器具は、従来技術として知られている。例えば、マンモトーム(MAMMOTOME)という商標名で市場に出回っている生検用器具は、乳房生検のサンプル採取用として、エシコン・エンドーサージェリー社（Ethicon Endo-Surgery Inc.）から販売されている。
【０００３】
以下の特許文献、2001年8月14日に付与された米国特許第6,273,862号、2001年5月15日に付与された米国特許第6,231,552号、2001年5月8日に付与された米国特許第6,228,055号、2000年9月19日に付与された米国特許第6,120,462号、2000年7月11日に付与された米国特許第6,086,544号、2000年6月20日に付与された米国特許第6,077,230号、2000年1月25日に付与された米国特許第6,017,316号、1999年12月28日に付与された米国特許第6,007,497号、1999年11月9日に付与された米国特許第5,980,469号、1999年10月12日に付与された米国特許第5,964,716号、1999年7月27日に付与された米国特許第5,928,164号、1998年7月7日に付与された米国特許第5,775,333号、1998年6月23日に付与された米国特許第5,769,086号、1997年7月22日に付与された米国特許第5,649,547号、1996年6月18日に付与された米国特許第5,526,822号、およびヒブナー他（Hibner et al.）に2003年10月23日に発行された米国特許出願第2003/0199753号は、様々な生検用器具を開示しており、全体をここに参照して本願の一部とする。
【０００４】
極低温プローブは米国特許第5,522,870号に開示されており、全体をここに参照して本願の一部とする。
【０００５】
医療器具分野の研究者は、組織サンプルを切断、移動および収容するために改良された新しい方法および器具を探究し続けている。
【０００６】
〔発明の概要〕
出願人は生検を行う代替方法の必要性を認識した。１つの実施例において、本発明は、組織生検を行うため、マンモトーム(Mammotome)（登録商標）のような針生検器具とジュール・トムソン極低温プローブ(Joule-Thompson cryogenic probe)とを合わせた装置を提供する。本発明は、例えば乳房生検サンプルなど、生検サンプルを採取するために用いることができる。
【０００７】
本発明は、１つの実施例において、カニューレシースおよびカニューレカッターを採用してもよい。カニューレシースは非回転としてもよい。カニューレシースおよびカニューレカッターは、極低温プローブが露出するように引くことができるように構成することが可能である。極低温プローブは、少なくとも一部をカニューレカッター内部に配置してもよく、プローブは、カニューレシースおよびカニューレカッターに対し、軸方向に移動可能とすることができる。操作において、極低温ガスもしくは他の極低温作用剤は、プローブによって供給される。組織はプローブに付着させることができる。極低温作用剤は、柔軟性を持つ状態から堅い粘度を持つ状態へ組織の特性に変化をもたらす。１つの実施例では、極低温ガスを供給した後、組織を介してカッターを前進させるとき、カニューレカッターを回転させることができる。
【０００８】
〔発明の詳細な説明〕
図１〜図５は、本発明の１つの実施例による、生検サンプルの採取に有用な生検器具５を示す。生検器具５は、ハンドピース１０、極低温プローブ２４、カニューレカッター９６およびカニューレシース３０を備える。
【０００９】
ハンドピース１０は、蓋１８およびラッチ２０を備える。ハンドピース１０は、縦方向の駆動ケーブル１２、回転可能な駆動ケーブル１４および極低温剤供給チューブ１６を受け入れるように構成することが可能である。縦方向駆動ケーブル１２は、ハンドピース１０と接続する遠位端と、図８に示す制御モジュール５０のような制御モジュールと接続する近位端とを有することができる。
【００１０】
縦方向駆動ケーブル１２は、カニューレカッター９６の並進運動を与えるために用いることができる（図６Ａ）。回転駆動ケーブル１４は、ハンドピース１０と接続する遠位端と、制御モジュール５０のような制御モジュールと接続する近位端とを備えてもよい。回転駆動ケーブル１４は、カニューレカッター９６の回転運動を与えるために用いることができる。極低温剤供給チューブ１６は、ハンドピース１０と接続する遠位端と、制御モジュール５０と接続する近位端とを備えてもよい。チューブ１６は、極低温ガスなどの極低温作用剤を、制御モジュール５０から極低温プローブ２４に供給する（図３）。蓋１８は、ラッチ２０の方法によってハンドピース１０と接続する。蓋１８は、ハンドピース１０の内部構成要素を見るために外すことが可能である。ハンドピース１０は、湿気および汚染または他の破片(debris)に対して密閉するように構成することができる。必要であれば、ハンドピース１０は、極低温プローブ２４の組織内部における配置をより正確に行うため、機械的骨組み、もしくは他の適切な支持材によって支持されることができる。例えば、ハンドピース１０は必要であれば、使用するために、定位のテーブル(stereotactic table)で支持されてもよい。
【００１１】
図２は、内部構成要素を明らかにするために上部を切り欠いたハンドピース１０を示す。内部構成要素は、ネジ山１１６のようなスクリュー特徴部を有するスクリュー１１４と、スクリュー１１４上を前進可能でスクリュー１１４上に取り付けられたキャリッジ１２４とを備える。キャリッジ１２４は、内部に、スクリュー１１４のネジ山１１６と噛み合う内部ネジを具備したネジ切りボアを備える。キャリッジ足部１３０は、キャリッジ１２４から延びていてもよい。キャリッジ足部１３０は籠状凹部１２８を備えてもよい。
【００１２】
第１の駆動軸部１０８、第２の駆動軸部１１０およびギア歯１０６を含む駆動ギア１０４は、ハンドピース１０内に回転可能に支持される。ハンドピース１０は、駆動軸部１０８および１１０を回転可能に支持するための内部の軸支持リブ１１２ａおよび内部の軸支持リブ１１２ｂを備える。駆動軸部１０８は、駆動ギア１０４の遠位端から延び、軸支持リブ１１２ａによって支持される。駆動軸部１１０は、駆動ギア１０４の近位端から突出し、軸支持リブ１１２ｂによって支持される。
【００１３】
図４を参照すると、カニューレカッター９６は、細長い駆動ギア１０４のギア歯１０６と噛み合うギア歯１００を有するカッターギア９８を備える。駆動ギア１０４の回転は、カッターギア９８およびカッター９６を回転させ、カッター９６が遠位および近位の方向に移動することを可能にする。駆動ギア１０４は、液晶ポリマー（ＬＣＰ）を含むがこれに限定することのない、プラスチックなどの非金属材料で形成してもよい。カニューレカッター９６はまた、遠位カッター先端部９７も備える。
【００１４】
カニューレカッター９６が、キャリッジ１２４と共に平行移動し、キャリッジ１２４に対して回転することができ、さらに、カニューレシース３０が、キャリッジ１２４およびカニューレカッター９６と共に平行移動するように、キャリッジ１２４は、カニューレカッター９６およびカニューレシース３０を支持する。カッター先端部９７は、切断組織の露出のためにカニューレシース３０の遠位端を飛び出して遠位に延在する。
【００１５】
キャリッジ１２４は、堅いポリマーから形成されることが好ましく、一般的に、内部にネジ切りボアが延在している円筒形の本体を有する。キャリッジ１２４は、また、本体の側面から延びるキャリッジ足部１３０も備える。足部１３０は、カッターギア歯１００が駆動ギア歯１０６と適切に噛み合うように、カッターギア９８を適切な方向に回転可能に支持するため、足部の内部に形成された籠状凹部１２８を備えてもよい。
【００１６】
キャリッジ１２４は、細長いスクリュー１１４をネジ切りボア１２６へ受け入れる。細長いスクリュー１１４は、駆動ギア１０４と平行な位置関係で支持される。スクリュー１１４は、（例えばハンドピース１０のハウジングの内部表面に形成可能な）軸支持リブ１３１によって、軸１１８を回転可能に支持し、スクリュー１１４の遠位端から突出する、遠位スクリュー軸１１８を備える。スクリュー１１４はまた、スクリュー１１４の近位端から突出する近位スクリュー軸１２０をも備え、軸１２０は軸支持リブ１３２（例えばハンドピース１０のハウジングの内部表面に形成可能な）によって支持される。
【００１７】
スクリュー１１４は、親ネジ山などのネジ山特徴部１１６を備え、ＬＣＰのような非金属材料から形成することができる。一方向のスクリュー１１４の回転によって、キャリッジ１２４は、遠位に移動することができると共に、スクリュー１１４の逆方向の回転によって、キャリッジ１２４は、近位に移動することが可能である。次に、キャリッジ１２４により支持されたカッターギア９８は、スクリューの回転方向によって遠位および近位に移動するので、カッター９６は、極低温プローブ２４の軸と概ね同一線上の方向に、極低温プローブ２４に対して前進するか、または後退する。
【００１８】
１つの実施例において、スクリュー１１４は、右回りのネジ山を有するので、（近位から遠位方向に見える）時計回りによってキャリッジ１２４（およびカッター９６）は遠位方向に平行移動することができる。また、制御ユニット内で同様な動作をするように形成されるのであればスクリュー１１４の左回りのネジ山も利用可能である。
【００１９】
図３は、極低温プローブ２４の実施例を示す。極低温プローブ２４は、上記米国特許第5,522,870号に開示された種類のような、内部にジュール・トムソン管構成(Joule-Thompson tubing construction)を含有する中空シャフト２５を備えてもよい。１つの実施例において、図３Ａに概略を示すように、開放された遠位端を有する内部チューブ２２５は、中空シャフト２５の内部に配置することができ、中空シャフト２５の長さに沿って実質的に延在している。内部チューブ２２５の近位端は、極低温供給チューブ１６と連通させることができる。内部チューブ２２５は、中空シャフト２５において遠位方向に、極低温物質（気体および／または液体）の流れをもたらす。極低温物質は、内部チューブ２２５の遠位端を抜け出て、中空シャフト２５の内部表面および内部チューブ２２５の間の空間に、（図３Ａに矢印で示すように）近位方向に流れることができる。中空シャフト２５の組織収集領域Ｃと関連する内部チューブ２２５の最遠位部は、組織収集領域Ｃの近傍における内部チューブ２２５の表面積を増加させるため、渦巻状、螺旋状、コイル状、蛇行形状、または他の非直線状の構成を有することができる。ジュール・トムソン管構成を有する１つの適切なシャフト２５は、ガリル・メディカル社（マサチューセッツ、ウォバーン）（Galil Medical, Woburn, Massachusetts）から入手可能である。
【００２０】
中空シャフト２５は、シャフト２５の遠位端で閉鎖した組織穿孔チップ２８を備える。中心に位置されたスペーサーＢは、シャフト２５上でチップ２８から近位に配置される。中心スペーサーＢは、カッター９６が極低温プローブ２４に関して近位および遠位に動くとき、カッター９６がシャフト２５に関して、通常、同心円状に支持されるように、カッター９６をシャフト２５に関して中心に位置させる。組織収集領域Ｃは、チップ２８とスペーサーＢとの間に配置することができる。収集領域ＣはスペーサーＢおよびチップ２８の直径よりも小さい直径を有するので、カッター９６が収集領域Ｃを覆う遠位方向に前進するとき、通常、収集領域Ｃは極低温プローブ２４の外部表面とカッター９６との間の周囲スペースを形成する。極低温剤供給チューブ１６は、極低温プローブ２４の近位端から、アルゴンを封入したタンク１００１（図８）のような極低温ガス供給源へ伸長することができる。
【００２１】
図４はカッター９６の実施例を示す。カッター９６は、長さ方向に延在するカッター内腔９５を有する細長い中空チューブを備えてもよい。カッター９６はまた、鋭いカッターチップ９７をカッター９６の遠位端に備える。カッターギア９８は、カッター９６の近位端に配置することができる。カッター９６およびカッターギア９８は、金属または非金属であってもよい。
【００２２】
図５はカニューレシース３０の実施例を示す。カニューレシース３０は、カッター９６が平行移動および回転する場合にカッター９６の周囲を覆うカバーを与える。カニューレシース３０は、シース３０の長さに沿って延在しているシース内腔３１を備え、シース内腔３１はシース３０の近位端および遠位端で開口していてもよい。シース内腔３１の内径は、カッター９６が内腔３１の内部で平行移動および回転可能なように、密接しスライド可能にカッター９６に合わせた寸法を有する。シース３０は、極低温プローブ２４、カッター９６およびシース３０が組織に挿入される場合、組織に円滑な侵入をもたらすように、テーパー状の遠位端Ｄを備えることが可能である。シース３０は金属材料および非金属材料を含む任意の適切な材料で形成することができる。シース３０は、切断されるべき組織が端部９７でのみ回転するカッター９６と接することを確実にし、カッター９６の外部対抗表面との接触（および周囲に巻き付く可能性）から組織を保護するのに役立つ。シースサポート３３はシース３０の近位端の近傍に配置してもよい。シースサポート３３は、キャリッジ１２４の近傍の足部１３０と接する表面と、ちょうど軸方向で対抗する。したがって、キャリッジの近位および遠位の動きは、カッター９６と共にシースの近位および遠位の動きを与える。シースサポート３３は、カッター９６と共にシース３０が平行移動する間にシース３０の回転を防ぐため、薄板、リブまたは他の突起（例えば、ハンドピース１０のハウジングに形成されてもよい突起）と係合する１つ以上の溝３５を備えることができる。
【００２３】
図６Ａ〜６Ｅは、本発明の生検器具を利用した生検の手順の５つの異なる工程を示す。図６Ａは、組織に挿入する直前の、極低温プローブ２４、カッター９６およびシース３０の相対的な位置を示す。図６Ａにおいて、極低温プローブ２４がカッター内腔９５を介して延在し、穿孔チップ２８がカッター９６の遠位の刃先９７の遠位に延び、極低温プローブ２４が、ハンドピース１０（ハンドピース１０は図６Ａには示されていない）の近位開口部を通じて挿入されている。必要であれば、極低温プローブ２４は、ハンドピース１０に極低温プローブを着脱可能に固定するため、ネジ山の接続、または、スナップ式もしくは差し込み式の嵌合などの他の適切な接続を備えてもよい。
【００２４】
極低温プローブ２４がハンドピース１０に関して着脱可能に固定されると、極低温プローブ２４は、ハンドピース１０に関して動かない。カッター９６およびシース３０は、ハンドピース１０および極低温プローブ２４に関して遠位に移動可能なので、カッター９６の刃先９７は、６Ａに示すように、穿孔チップ２８の近位表面とちょうど接する。極低温プローブ２４、カッター９６およびシース３０が６Ａに示すように配置されると、極低温プローブ２４、カッター９６およびシース３０は、共に組織内に挿入することができる。
【００２５】
図６Ｂは、極低温プローブ２４が採取される組織塊における所望の部位に配置され、シース３０およびカッター９６が極低温プローブ２４に関して引かれた状態を示す。極低温プローブ２４が組織に挿入され、生検がなされる組織塊内部の所望部位に配置されると、カニューレシース３０およびカッター９６は、極低温プローブ２４およびハンドピース１０に対して引かれ、開いた形状の極低温プローブ２４に、覆われていない組織収集領域Ｃを供給する。
【００２６】
図６Ｃは、例えば工程の「凍結」サイクルを提供するための極低温剤の適用を示す。図６Ｃは、組織収集領域Ｃと接触する組織の温度を下げる（例えば凍結させる）ための、極低温プローブ２４内への極低温剤の流れＦを示す。極低温剤は、所定の時間極低温プローブ２４内に保持された後、極低温剤を極低温プローブ２４から抜くことができる。極低温剤は、カッター９６を用いた組織切断の前処理において、組織の凍結または組織の固化もしくは硬化をもたらすだけでなく、極低温プローブ２４の収集領域Ｃに組織を付着させるために用いることが可能である。
【００２７】
図６Ｄは工程における切断の段階を示し、カッター９６と、極低温プローブ２４の組織収集領域Ｃを覆って前進させられたシースとを備える極低温プローブ２４を示す。極低温ガスが供給され、組織が極低温プローブ２４に付着された後、カッター９６を回転自在に前進させる（例えば、カッターを遠位に前進させ、同時に縦軸に関して回転させる）。生検部位の周りの組織がカッター９６の回転する外部表面と接触するのを保護するため、非回転のカニューレシース３０を、カッター９６によって同時に遠位方向に平行移動させることができる。カッター９６は、極低温プローブ２４に付着した組織（組織収集領域Ｃとカッター９６の内側表面との間に付着した環状の塊(annular volume)）を周辺組織から切断する。
【００２８】
図６Ｅは切断された組織サンプルの回収を示す。極低温プローブ２４、カッター９６およびシース３０は組織から外される。カニューレシース３０およびカッター９６は、極低温プローブ２４が組織塊から外された後、引き抜くことができる。シース３０およびカッター９６を引き抜くことは、切断した組織サンプルを露出させる。必要であれば、組織収集領域Ｃから組織を容易に取り除くために、比較的温かい物質（例えば、熱されたガスまたは室温のガス）を極低温プローブ２４を介して、および／または直接組織に当ててもよい。１つの実施例において、極低温２４から組織を外すことを支援するために、ヘリウムを用いることができる。組織サンプルは、ピンセットまたは任意の他の適切な器具を用いて取り除くことが可能である。
【００２９】
図７は、乳房組織に挿入される極低温プローブ２４を利用した生検器具５の概略図を示す。シース３０およびカッター９６が近位に引かれた状態を示しているので、シース３０およびカッター９６の両方が、挿入工程の間、遠位に前進させられ、シース３０およびカッター９６は、プローブ２４が所望の組織部位に配置されると近位に引かれる、と理解でき、極低温プローブ２４は挿入工程が完了した後組織サンプルを冷やすことができる。超音波プローブ４４のような撮像装置もまた、生検が行われる組織塊についての器具の適切な位置決定を支援するために利用可能である。適切な撮像装置は、超音波装置、Ｘ線装置、蛍光透視装置および磁気共鳴撮像装置などを含むが、これらに限定されることはない。
【００３０】
図８は、縦方向の駆動ケーブル１２、回転駆動ケーブル１４およびハンドピース１０の近位端から延びる供給チューブ１６を備えるハンドピース１０を示す。縦方向駆動ケーブル１２および回転駆動ケーブル１４は、制御スクリーン５２を有する制御モジュール５０を介して制御される。供給チューブ１６は、極低温ガス供給タンク１００１のような極低温剤の供給源に接続されてもよい。タンク１００１および制御モジュール５０は、移動可能なカート１０００に備えられることが可能である。
【００３１】
図９は制御モジュール５０の制御スクリーン５２の実施例を示す。スクリーン５２は、器具５の様々な機能および処置の進行を表示し、および／または制御するために用いてもよい。図９において、スクリーン５２は、カッターおよびシースの前進（遠位）および後退（近位）の動きを制御する機能だけでなく、カッター、シースおよびプローブ位置を示す機能を備える。スクリーンはまた、リーク検出、オン／オフ制御、および極低温剤を供給する時間制御を設定するための極低温プローブの機能を備えてもよい。
【００３２】
本発明の生検器具は、単一または複合的な使用のために提供することができる。必要であれば、１つ以上の生検器具の構成要素を取り外し、消毒し、再梱包し、再殺菌することが可能である。生検器具の様々な構成要素は、個別にまたはキットとして、殺菌パッケージの状態で提供することができる。
【００３３】
本発明の様々な特徴が示されたが、このような特徴は単なる例示であり、本発明の精神および範囲を逸脱することなしに多くの変更および置換が可能であることは当業者に理解されるであろう。例えば、本発明を乳房組織における使用に関して示したが、本発明はまた、他の組織の種類から組織サンプルを採取するために利用することも可能である。加えて、本発明の各構成要素は、構成要素の機能を呈する手段として代わりに説明されることができる。これは、本発明が添付の特許請求の範囲および精神によってのみ限定されることを意味する。
【００３４】
〔実施の態様〕
（１）生検器具において、
ハンドピースと、
前記ハンドピースに対して平行移動するように支持された、外部カニューレカッターと、
前記外部カニューレカッターの内部の少なくとも一部に配置された、極低温プローブと、
前記外部カニューレカッターの少なくとも一部の周囲に配置された、カニューレシースと、
を備えた、生検器具。
（２）生検器具において、
極低温物質を受け入れるように構成された、プローブと、
前記プローブの少なくとも一部の周囲に配置された中空カッターであって、前記カッターは、組織を切断するため、前記プローブに対して移動可能である、中空カッターと、
前記中空カッターと共に移動可能な、シースと、
を備えた、生検器具。
（３）実施態様２に記載の生検器具において、
前記中空カッターは、前記プローブに対して平行移動および回転が可能である、生検器具。
（４）実施態様２に記載の生検器具において、
前記シースは、前記プローブに対して平行移動が可能である、生検器具。
（５）実施態様２に記載の生検器具において、
前記シースは、前記プローブ、前記カッター、および前記シースが組織内に配置されると、周辺組織に対して回転不可能である、生検器具。
（６）実施態様２に記載の生検器具において、
前記シースおよび前記中空カッターは、前記プローブに対して共に平行移動するように構成されている、生検器具。
（７）生検サンプルを採取する方法において、
プローブを採取すべき組織内に配置する工程と、
前記プローブの位置に隣接した組織を冷却する工程と、
周辺組織から前記冷却された組織のサンプルを切断するため、前記プローブの一部を覆う中空カッターを前進させ、かつ、回転させる工程と、
回転する前記中空カッターから前記周辺組織を保護する工程と、
を備えた、方法。
（８）実施態様７に記載の方法において、
前記冷却する工程は、前記組織を凍結する工程、を含む、方法。
（９）実施態様７に記載の方法において、
前記冷却する工程は、極低温剤を提供する工程、を含む、方法。
（１０）実施態様７に記載の方法において、
前記切断された組織サンプルを温める工程、
をさらに備えた、方法。
（１１）実施態様７に記載の方法において、
前記周辺組織を保護する工程は、前記中空カッターの一部を覆う非回転シースを前進させる工程、を備える、方法。
（１２）実施態様１１に記載の方法において、
前記非回転シースを前進させる工程は、前記中空カッターを前進させると同時に、前記非回転シースを前進させる工程、を備える、方法。
【図面の簡単な説明】
【００３５】
【図１】器具のハンドピースを示した、本発明による器具の実施例の平面図である。
【図２】器具の内部の構成要素を示した、本発明による器具の実施例の平面図である。
【図３】極低温プローブを示した、本発明による器具の実施例の平面図である。
【図３Ａ】プローブの遠位端に極低温物質を送達するための内部チューブを示した、極低温プローブの実施例における遠位端の部分断面図である。
【図４】カニューレカッターを示した、本発明による器具の実施例の平面図である。
【図５】カニューレシースを示した、本発明による器具の実施例の平面図である。
【図６Ａ】カニューレカッターおよびカニューレシースに挿入された極低温プローブを示す、本発明による器具の実施例の平面図である。
【図６Ｂ】極低温プローブを露出させるために近位へ引いたカニューレカッターとカニューレシースとを示す、本発明による器具の実施例の平面図である。
【図６Ｃ】プローブで組織を凍結させる間の器具の構成を示した、本発明による器具の実施例の平面図である。
【図６Ｄ】組織がプローブによって極低温処理された後カッターが組織サンプルを切断するように、プローブに関して遠位に前進するカニューレカッターとカニューレシースとを示した、本発明による器具の実施例の平面図である。
【図６Ｅ】切断された組織サンプルが例えばピンセットで極低温プローブから取り外せるよう、近位に引いたカッターおよびシースを示す、本発明による器具の実施例の平面図である。
【図７】乳房組織に挿入された器具を示す、本発明による器具の実施例の概略図である。
【図８】生検器具制御モジュールおよびハンドピースを示した、本発明による器具の実施例の概略図である。
【図９】制御モジュール画面を示した、本発明による器具の実施例の概略図である。
【図１】
2007222618.tif 000003
【図２】
2007222618.tif 000004
【図３】
2007222618.tif 000005
【図３Ａ】
2007222618.tif 000006
【図４】
2007222618.tif 000007
【図５】
2007222618.tif 000008
【図６Ａ】
2007222618.tif 000009
【図６Ｂ】
2007222618.tif 000010
【図６Ｃ】
2007222618.tif 000011
【図６Ｄ】
2007222618.tif 000012
【図６Ｅ】
2007222618.tif 000013
【図７】
2007222618.tif 000014
【図８】
2007222618.tif 000015
【図９】
2007222618.tif 000016
【外国語明細書】
2007222618000001.pdf